(57)【要約】【課題】バーストの中間で発生しうる動的ＤＣオフセットを検出して除去することができ、かつ比較的処理量の少ない動的ＤＣオフセット除去装置及び動的ＤＣオフセット除去方法を提供すること。【解決手段】受信信号のトレーニングシーケンス内の重複部分系列である第１最長重複部分系列部と第２最長重複部分系列部のサンプリング値の差から最長重複部分系列内の動的ＤＣオフセットを検出する最長重複部分系列内動的ＤＣオフセット検出部１０４と、第１最長重複部分系列部より前に存在するバースト内受信信号のサンプリング値の平均値と第２最長重複部分系列部より後に存在するバースト内受信信号のサンプリング値の平均値の差から最長重複部分系列外の動的ＤＣオフセットを検出する最長重複部分系列外動的ＤＣオフセット検出部１０５と、それら結果を基に受信信号から適応的にＤＣオフセット値を差し引くＤＣオフセット除去部１０６を備える。【選択図】図２
2008300958.tif 000002
【特許請求の範囲】
【請求項１】
ディジタルベースバンド信号に変換された受信信号のトレーニングシーケンス内の重複部分系列である第１最長重複部分系列部と第２最長重複部分系列部のサンプリング値の差から最長重複部分系列内の動的ＤＣオフセットを検出する最長重複部分系列内動的ＤＣオフセット検出手段と、
前記第１最長重複部分系列部より前に存在するバースト内受信信号のサンプリング値の平均値と前記第２最長重複部分系列部より後に存在するバースト内受信信号のサンプリング値の平均値の差から最長重複部分系列外の動的ＤＣオフセットを検出する最長重複部分系列外動的ＤＣオフセット検出手段と、
前記最長重複部分系列内動的ＤＣオフセット検出手段から出力される検出結果と前記最長重複部分系列外動的ＤＣオフセット検出手段から出力される検出結果を基に、前記受信信号から適応的にＤＣオフセット値を差し引くＤＣオフセット除去手段と
を備える動的ＤＣオフセット除去装置。
【請求項２】
前記最長重複部分系列内動的ＤＣオフセット検出部は、
前記受信信号から第１最長重複部分系列部を抽出して出力する第１最長重複部分系列抽出手段と、
前記受信信号から第２最長重複部分系列部を抽出して出力する第２最長重複部分系列抽出手段と、
前記第１最長重複部分系列抽出手段から出力された第１最長重複部受信信号と前記第２最長重複部分系列抽出手段から出力された第２最長重複部受信信号のサンプリング値の差を計算し、その差が前もって設定されたある閾値を超える位置をＤＣオフセット変動位置として、前記ＤＣオフセット変動位置以前のサンプリング値の差の平均値と前記ＤＣオフセット変動位置以降のサンプリング値の差の平均値を計算し、それら平均値の差をＤＣオフセット変動量として、前記ＤＣオフセット変動位置と前記ＤＣオフセット変動量を出力する振幅差検出手段と
を備える請求項１記載の動的ＤＣオフセット除去装置。
【請求項３】
前記最長重複部分系列内動的ＤＣオフセット検出部は、
前記受信信号から第１最長重複部分系列部を抽出して出力する第１最長重複部分系列抽出手段と、
前記受信信号から第２最長重複部分系列部を抽出して出力する第２最長重複部分系列抽出手段と、
前記第１最長重複部分系列抽出手段から出力された第１最長重複部受信信号と前記第２最長重複部分系列抽出部から出力された第２最長重複部受信信号のサンプリング値の差の積分値を計算し、その差が前もって設定されたある閾値を超える場合、その差の積分値をＤＣオフセット変動量として出力する振幅差平均値計算手段と
を備える請求項１記載の動的ＤＣオフセット除去装置。
【請求項４】
前記最長重複部分系列外動的ＤＣオフセット検出部は、
前記受信信号から前もって位置を設定された第１最長重複部分系列部より前に存在するバースト内受信信号もしくはその一部のサンプリング値を抽出して出力する第１最長重複部分（前）系列抽出手段と、
前記受信信号から前もって位置を設定された第２最長重複部分系列部より後に存在するバースト内受信信号もしくはその一部のサンプリング値を抽出して出力する第２最長重複部分（後）系列抽出手段と、
前記第１最長重複部分（前）系列抽出手段から出力された第１最長重複部受信信号以前のサンプリング値と前記第２最長重複部分系列抽出手段から出力された第２最長重複部受信信号以降のサンプリング値の積分値を計算し、その差が前もって設定されたある閾値を超える場合、その差をＤＣオフセット変動量として出力する振幅差平均値計算手段と
を備える請求項１記載の動的ＤＣオフセット除去装置。
【請求項５】
前記ＤＣオフセット除去手段は、
前記最長重複部分系列内動的ＤＣオフセット検出手段から出力された第１ＤＣオフセット変動量と第１ＤＣオフセット変動位置と、前記最長重複部分系列外動的ＤＣオフセット検出部から出力された第２ＤＣオフセット変動量から、前記第１ＤＣオフセット変動量が検出された場合、第１ＤＣオフセット変動量と第１ＤＣオフセット変動位置をそれぞれ変化位置後ＤＣオフセット量と変化位置として出力し、前記第１ＤＣオフセット変動量が検出されなかった場合、第２ＤＣオフセット変動量の半分の符号反転した値を変化位置前ＤＣオフセット量、第２ＤＣオフセット変動量の半分を変化位置後ＤＣオフセット量として出力するＤＣオフセット補正値・補正位置算出手段と、
前記変化位置が設定されている場合、その位置で変化位置前ＤＣオフセット量から変化位置後ＤＣオフセット量に切り替えて受信信号からＤＣオフセット量を差し引き、前記変化位置が設定されていない場合、第１最長重複部分系列部以前のサンプル値から変化位置前ＤＣオフセット量を差し引き、第２最長重複部分系列部以降のサンプル値から変化位置後ＤＣオフセット量を差し引く適応的ＤＣオフセット補正手段と
を備える請求項２記載の動的ＤＣオフセット除去装置。
【請求項６】
前記ＤＣオフセット除去手段は、
前記最長重複部分系列内動的ＤＣオフセット検出部から出力された第１ＤＣオフセット変動量と、前記最長重複部分系列外動的ＤＣオフセット検出部から出力された第２ＤＣオフセット変動量から、前記第１ＤＣオフセット変動量が検出された場合、第１ＤＣオフセット変動量を変化位置後ＤＣオフセット量とし、第１最長重複部分系列部と第２最長重複部分系列部の中間位置を変化位置として出力し、前記第１ＤＣオフセット変動量が検出されなかった場合、第２ＤＣオフセット変動量の半分の符号反転した値を変化位置前ＤＣオフセット量、第２ＤＣオフセット変動量の半分を変化位置後ＤＣオフセット量として出力するＤＣオフセット補正値・補正位置算出手段と、
前記変化位置が設定されている場合、その位置で変化位置前ＤＣオフセット量から変化位置後ＤＣオフセット量に切り替えて受信信号からＤＣオフセット量を差し引き、前記変化位置が設定されていない場合、第１最長重複部分系列部以前のサンプル値から変化位置前ＤＣオフセット量を差し引き、第２最長重複部分系列部以降のサンプル値から変化位置後ＤＣオフセット量を差し引く適応的ＤＣオフセット補正手段と
を備える請求項３記載の動的ＤＣオフセット除去装置。
【請求項７】
前記ＤＣオフセット除去手段は、
前記最長重複部分系列内動的ＤＣオフセット検出手段から出力された第１ＤＣオフセット変動量と第１ＤＣオフセット変動位置と、前記最長重複部分系列外動的ＤＣオフセット検出部から出力された第２ＤＣオフセット変動量から、前記第１ＤＣオフセット変動量が検出された場合、第１ＤＣオフセット変動量と第１ＤＣオフセット変動位置をそれぞれ変化位置後ＤＣオフセット量と変化位置として出力し、前記第１ＤＣオフセット変動量が検出されなかった場合、第２ＤＣオフセット変動量の定数Ｋ倍して得られた値の符号反転した値を変化位置前ＤＣオフセット量、第２ＤＣオフセット変動量の定数Ｋ倍して得られた値を変化位置後ＤＣオフセット量として出力するＤＣオフセット補正値・補正位置算出手段と、
前記変化位置が設定されている場合、その位置で変化位置前ＤＣオフセット量から変化位置後ＤＣオフセット量に切り替えて受信信号からＤＣオフセット量を差し引き、前記変化位置が設定されていない場合、第１最長重複部分系列部以前のサンプル値から変化位置前ＤＣオフセット量を差し引き、第２最長重複部分系列部以降のサンプル値から変化位置後ＤＣオフセット量を差し引く適応的ＤＣオフセット補正手段と
を備える請求項２記載の動的ＤＣオフセット除去装置。
【請求項８】
前記ＤＣオフセット除去手段は、
前記最長重複部分系列内動的ＤＣオフセット検出手段から出力された第１ＤＣオフセット変動量と、前記最長重複部分系列外動的ＤＣオフセット検出部から出力された第２ＤＣオフセット変動量から、前記第１ＤＣオフセット変動量が検出された場合、第１ＤＣオフセット変動量を変化位置後ＤＣオフセット量とし、第１最長重複部分系列部と第２最長重複部分系列部の中間位置を変化位置として出力し、前記第１ＤＣオフセット変動量が検出されなかった場合、第２ＤＣオフセット変動量の定数Ｋ倍して得られた値の符号反転した値を変化位置前ＤＣオフセット量、第２ＤＣオフセット変動量の定数Ｋ倍して得られた値を変化位置後ＤＣオフセット量として出力するＤＣオフセット補正値・補正位置算出手段と、
前記変化位置が設定されている場合、その位置で変化位置前ＤＣオフセット量から変化位置後ＤＣオフセット量に切り替えて受信信号からＤＣオフセット量を差し引き、前記変化位置が設定されていない場合、第１最長重複部分系列部以前のサンプル値から変化位置前ＤＣオフセット量を差し引き、第２最長重複部分系列部以降のサンプル値から変化位置後ＤＣオフセット量を差し引く適応的ＤＣオフセット補正手段と
を備える請求項３記載の動的ＤＣオフセット除去装置。
【請求項９】
ディジタルベースバンド信号に変換された受信信号の受信品質を測定する受信品質測定手段と、
前記受信品質を入力としてＤＣオフセット補償処理の閾値を決定する閾値計算手段と、
前記閾値を基に動的ＤＣオフセット補償処理を実行する動的ＤＣオフセット除去とをさらに備える請求項１記載の動的ＤＣオフセット除去装置。
【請求項１０】
ディジタルベースバンド信号に変換された受信信号のタイミングオフセット量を計算するタイミングオフセット検出手段と、
前記タイミングオフセット量を入力として動的ＤＣオフセット補償処理の第１最長重複部分系列部と第２最長重複部分系列部の位置を補正して動的ＤＣオフセット補償処理を実行する動的ＤＣオフセット除去とをさらに備える請求項１記載の動的ＤＣオフセット除去装置。
【請求項１１】
ディジタルベースバンド信号に変換された受信信号のトレーニングシーケンス内の重複部分系列である第１最長重複部分系列部と第２最長重複部分系列部のサンプリング値の差から最長重複部分系列内の動的ＤＣオフセットを検出するステップと、
前記第１最長重複部分系列部より前に存在するバースト内受信信号のサンプリング値の平均値と前記第２最長重複部分系列部より後に存在するバースト内受信信号のサンプリング値の平均値の差から最長重複部分系列外の動的ＤＣオフセットを検出するステップと、
前記最長重複部分系列内動的ＤＣオフセット検出結果と前記最長重複部分系列外動的ＤＣオフセット検出結果を基に、前記受信信号から適応的にＤＣオフセット値を差し引くＤＣオフセット除去ステップと
を有する動的ＤＣオフセット除去方法。
【発明の詳細な説明】
【技術分野】
【０００１】
本発明は、無線通信における受信機が有する動的ＤＣオフセット除去装置及び動的ＤＣオフセット除去方法に関し、主としてダイレクトコンバージョン方式の無線部を搭載するディジタル移動体通信の受信機に用いられる動的ＤＣオフセット除去装置及び動的ＤＣオフセット除去方法に関する。
【背景技術】
【０００２】
ディジタル移動体通信の受信機では、無線回線で起こり得るマルチパスフェージングの影響により、伝搬時間の異なる複数経路の電波が同時に受信される。このため受信信号に遅延歪みが生じてビット誤り率特性が劣化する。前記遅延歪みはシンボルレイトが高速な程大きくなるため、今後の高速ディジタル移動体通信機器においては前記遅延歪みの影響を無視することはできなくなり、前記遅延歪みの除去が不可欠となってきている。
【０００３】
等化器は前記遅延歪みを補正する代表的な手段である。無線通信では従来から高速伝送を行う受信機に搭載されており、更に近年ではヨーロッパのディジタル携帯電話規格であるＧＳＭ（Global System for Mobile Communications）の携帯電話等にも搭載されるようになってきた。また、前記等化器の前処理として、無線ＲＦ部で主に発生し得るＤＣオフセット成分を受信信号の平均値で推定し除去することにより、等化精度改善を行いビット誤り率特性向上を図る受信機も多くなってきた。
【０００４】
図１１は、従来のＤＣオフセット除去装置を有する受信機の構成を示すブロック図、図１２は、そのＣＤオフセット補償処理部の構成を示す図である。図１１及び図１２において、ＤＣオフセット除去装置を有する受信機１０は、ＤＣオフセット補償処理部１１、等化処理部１２、及び復号処理部１３から構成され、ＤＣオフセット補償処理部１１は、平均値演算部１４及びＤＣオフセット除去部１５を備えて構成される。ＤＣオフセット補償処理部１１は、平均値演算部１４によりＤＣオフセット成分を受信信号の平均値で推定し、ＤＣオフセット除去部１５により除去する。
【０００５】
近年、無線ＲＦ部の回路規模削減（コスト削減）を目的に、受信周波数を中間周波数へ変換するヘテロダイン受信方式ではなく、ダイレクトコンバージョン受信方式が採用されつつある。しかし、ダイレクトコンバージョン受信方式化に伴い、ＧＳＭ等で用いられる狭帯域のディジタル変調方式においては、受信信号周波数と局部発信周波数が等しいことに起因して受信機検波出力（ベースバンド受信信号）にＤＣオフセット成分が残留し、かつ特にＧＳＭではバーストの中間でＤＣオフセットの急激な増大（以降、動的ＤＣオフセットという）が発生することにより、受信信号の平均値推定では除去することが困難でありビット誤り率特性を劣化させることが考えられる。また、ＧＳＭではバーストの中間には同期捕捉・受信補助用の既知コード（トレーニングシーケンス）が埋め込まれており、バーストの中間における動的ＤＣオフセットは、著しくビット誤り率特性を劣化させる。
【０００６】
前記動的ＤＣオフセットを除去するために、従来のＤＣオフセット除去アルゴリズムでは、ディジタルベースバンド信号をＩＱダイアグラム上にマッピングし、信号値の部分集合を用いた幾何学図形の二次元フィッティングにより中心点のＩ及びＱ座標を決定する。前記中心点の変化により動的ＤＣオフセットの変化を捕えることが可能となる（例えば、特許文献１参照）。
【特許文献１】特開２０００−２７８３３５号公報
【発明の開示】
【発明が解決しようとする課題】
【０００７】
しかしながら、このような従来のＤＣオフセット除去装置にあっては、ディジタルベースバンド信号の任意の連続部分集合に対して中心点を決定する演算を実施することは処理量増大を伴うという問題がある。
【０００８】
本発明は、上記に鑑みてなされたものであり、バーストの中間で発生しうる動的ＤＣオフセットを検出して除去することができ、かつ比較的処理量の少ない動的ＤＣオフセット除去装置及び動的ＤＣオフセット除去方法を提供することを目的とする。
【課題を解決するための手段】
【０００９】
本発明の動的ＤＣオフセット除去装置は、ディジタルベースバンド信号に変換された受信信号のトレーニングシーケンス内の重複部分系列である第１最長重複部分系列部と第２最長重複部分系列部のサンプリング値の差から最長重複部分系列内の動的ＤＣオフセットを検出する最長重複部分系列内動的ＤＣオフセット検出手段と、前記第１最長重複部分系列部より前に存在するバースト内受信信号のサンプリング値の平均値と前記第２最長重複部分系列部より後に存在するバースト内受信信号のサンプリング値の平均値の差から最長重複部分系列外の動的ＤＣオフセットを検出する最長重複部分系列外動的ＤＣオフセット検出手段と、前記最長重複部分系列内動的ＤＣオフセット検出手段から出力される検出結果と前記最長重複部分系列外動的ＤＣオフセット検出手段から出力される検出結果を基に、前記受信信号から適応的にＤＣオフセット値を差し引くＤＣオフセット除去手段とを備える構成を採る。
【００１０】
本発明の動的ＤＣオフセット除去方法は、ディジタルベースバンド信号に変換された受信信号のトレーニングシーケンス内の重複部分系列である第１最長重複部分系列部と第２最長重複部分系列部のサンプリング値の差から最長重複部分系列内の動的ＤＣオフセットを検出するステップと、前記第１最長重複部分系列部より前に存在するバースト内受信信号のサンプリング値の平均値と前記第２最長重複部分系列部より後に存在するバースト内受信信号のサンプリング値の平均値の差から最長重複部分系列外の動的ＤＣオフセットを検出するステップと、前記最長重複部分系列内動的ＤＣオフセット検出結果と前記最長重複部分系列外動的ＤＣオフセット検出結果を基に、前記受信信号から適応的にＤＣオフセット値を差し引くＤＣオフセット除去ステップとを有する。
【発明の効果】
【００１１】
本発明によれば、ビット誤り率特性を劣化させるトレーニングシーケンス内の動的ＤＣオフセットに対して高精度に動的ＤＣオフセットを検出・補正することができ、また従来の平均値処理に加えて数サンプルの比較のみという少ない処理量増のみで動的ＤＣオフセットの補償をすることができ、それにより誤り率特性を向上させる受信機を安価に提供できる。
【発明を実施するための最良の形態】
【００１２】
以下、本発明の実施の形態について図面を参照して詳細に説明する。
【００１３】
（実施の形態１）
図１は、本発明の実施の形態１に係る動的ＤＣオフセット除去装置を有する受信機の構成を示すブロック図である。本実施の形態は、ＧＳＭ方式のディジタル移動体通信の受信機に適用した例である。
【００１４】
図１において、動的ＤＣオフセット除去装置を有する受信機１００は、ディジタルベースバンド信号に変換された受信信号Ｉ，Ｑを入力とし、受信信号Ｉ，ＱからＤＣオフセットを除去するＤＣオフセット補償処理部１０１と、ＤＣオフセット補償処理を施されたＤＣオフセット補償済み受信信号を等化する等化処理部１０２と、等化処理部１０２で等化された受信信号を復号する復号処理部１０３とを備えて構成される。
【００１５】
図２は、上記ＣＤオフセット補償処理部１０１の構成を示す図である。Ｉ相・Ｑ相成分とも同様の処理を独立に行うためＩ相成分に対する処理を代表して説明する。
【００１６】
図２において、ＤＣオフセット補償処理部１０１は、Ｉ相信号の最長重複部分系列内動的ＤＣオフセット検出部１０４、Ｉ相信号の最長重複部分系列外動的ＤＣオフセット検出部１０５、及びＤＣオフセット除去部１０６から構成される。なお、受信信号Ｑに関しても図２と同様の構成をとる。
【００１７】
最長重複部分系列内動的ＤＣオフセット検出部１０４は、受信信号から前もって位置を設定された第１最長重複部分系列部と第２最長重複部分系列部を抽出し、それぞれのサンプリング値の差から最長重複部分系列内の動的ＤＣオフセットを検出する。
【００１８】
最長重複部分系列外動的ＤＣオフセット検出部１０５は、受信信号から第１最長重複部分系列部より前に存在するバースト内受信信号もしくはその一部のサンプリング値の平均値と第２最長重複部分系列部より後に存在するバースト内受信信号もしくはその一部のサンプリング値の平均値の差から最長重複部分系列外の動的ＤＣオフセットを検出する。
【００１９】
ＤＣオフセット除去部１０６は、最長重複部分系列内動的ＤＣオフセット検出部１０４から出力される検出結果と最長重複部分系列外動的ＤＣオフセット検出部１０５から出力される検出結果を基に、受信信号から適応的にＤＣオフセット値を差し引くＤＣオフセット除去を行う。
【００２０】
図３は、バーストの構成例を示す図、図４は、動的ＤＣオフセット検出時の波形例を示す図である。
【００２１】
図３において、ＧＳＭのバースト２００の中間には、同期捕捉・受信補助用の既知コードであるトレーニングシーケンス２０１が埋め込まれている。トレーニングシーケンス２０１は、第１最長重複部分系列部２０２と第２最長重複部分系列部２０３とを有する。また、トレーニングシーケンス２０１の前には、第１最長重複部分系列前バースト受信信号２０４が、トレーニングシーケンス２０１の後には、第２最長重複部分系列後バースト受信信号２０５が存在する。
【００２２】
第１最長重複部分系列部２０２と第２最長重複部分系列部２０３とは同一系列であるため、フェージングやノイズの影響を除くと同じ波形を示すが、動的ＤＣオフセットが発生した場合、図４に示すような波形変動を見ることができる。本実施の形態では、この特性を用いて動的ＤＣオフセットを検出する。
【００２３】
上記最長重複部分系列内動的ＤＣオフセット検出部１０４は、以下図５及び図６に示される手法で実現される。
【００２４】
図５は、上記最長重複部分系列内動的ＤＣオフセット検出部１０４の高分解能版の構成を示すブロック図、図６は、上記最長重複部分系列内動的ＤＣオフセット検出部１０４の低分解能版の構成を示すブロック図である。
【００２５】
図５において、最長重複部分系列内動的ＤＣオフセット検出部１０４の高分解能版を最長重複部分系列内動的ＤＣオフセット検出部３００とする。
【００２６】
最長重複部分系列内動的ＤＣオフセット検出部３００は、第１最長重複部分系列抽出部３０１、第２最長重複部分系列抽出部３０２、及び振幅差検出部３０３を備えて構成される。
【００２７】
第１最長重複部分系列抽出部３０１は、ディジタルベースバンド信号に変換された受信信号を入力とし、前もって位置を設定された第１最長重複部分系列部を抽出して出力する。
【００２８】
第２最長重複部分系列抽出部３０２は、ディジタルベースバンド信号に変換された受信信号を入力とし、前もって位置を設定された第２最長重複部分系列部を抽出して出力する。
【００２９】
振幅差検出部３０３は、第１最長重複部分系列抽出部３０１から出力された第１最長重複部受信信号と第２最長重複部分系列抽出部３０２から出力された第２最長重複部受信信号のサンプリング値の差を計算し、その差が前もって設定されたある閾値を超える位置をＤＣオフセット変動位置として、ＤＣオフセット変動位置以前のサンプリング値の差の平均値と前記ＤＣオフセット変動位置以降のサンプリング値の差の平均値を計算し、それら平均値の差をＤＣオフセット変動量として出力する。
【００３０】
閾値を設けることにより、ノイズやフェージングの影響による差をＤＣオフセット変動と見誤ることを防止することができる。ＤＣオフセット変動位置以前のサンプリング値の差の平均値と前記ＤＣオフセット変動位置以降のサンプリング値の差の平均値は、それぞれ任意の区間での平均で問題ない。例えば、既知信号であるトレーニングシーケンス内の区間平均を用いることもできるし、バースト全体を用いることもできる。処理量削減のために平均化数を２のべき乗に限定することもできる。
【００３１】
図６において、最長重複部分系列内動的ＤＣオフセット検出部１０４の低分解能版を最長重複部分系列内動的ＤＣオフセット検出部４００とする。
【００３２】
最長重複部分系列内動的ＤＣオフセット検出部４００は、第１最長重複部分系列抽出部４０１、第２最長重複部分系列抽出部４０２、及び振幅差平均値計算部４０３を備えて構成される。
【００３３】
第１最長重複部分系列抽出部４０１は、ディジタルベースバンド信号に変換された受信信号を入力とし、前もって位置を設定された第１最長重複部分系列部を抽出して出力する。
【００３４】
第２最長重複部分系列抽出部４０２は、ディジタルベースバンド信号に変換された受信信号を入力とし、前もって位置を設定された第２最長重複部分系列部を抽出して出力する。
【００３５】
振幅差平均値計算部４０３は、第１最長重複部分系列抽出部４０１から出力された第１最長重複部受信信号と第２最長重複部分系列抽出部４０２から出力された第２最長重複部受信信号のサンプリング値の差の積分値を計算し、その差が前もって設定されたある閾値を超える場合、その差の積分値をＤＣオフセット変動量として出力する。
【００３６】
図７は、上記最長重複部分系列外動的ＤＣオフセット検出部１０５の構成を示すブロック図である。
【００３７】
図７において、前記最長重複部分系列外動的ＤＣオフセット検出部１０５は、第１最長重複部分（前）系列抽出部５０１、第２最長重複部分（後）系列抽出部５０２、及び振幅差平均値計算部５０３を備えて構成される。
【００３８】
第１最長重複部分（前）系列抽出部５０１は、ディジタルベースバンド信号に変換された受信信号を入力とし、受信信号から前もって位置を設定された第１最長重複部分系列部より前に存在するバースト内受信信号もしくはその一部のサンプリング値を抽出する。
【００３９】
第２最長重複部分（後）系列抽出部５０２は、ディジタルベースバンド信号に変換された受信信号を入力とし、受信信号から前もって位置を設定された第２最長重複部分系列部より後に存在するバースト内受信信号もしくはその一部のサンプリング値を抽出する。
【００４０】
振幅差平均値計算部５０３は、第１最長重複部分（前）系列抽出部５０１から出力された第１最長重複部受信信号以前のサンプリング値と第２最長重複部分（後）系列抽出部５０２から出力された第２最長重複部受信信号以降のサンプリング値の積分値を計算し、その差が前もって設定されたある閾値を超える場合、その差をＤＣオフセット変動量として出力する。
【００４１】
図８は、上記ＤＣオフセット除去部１０６の構成を示すブロック図である。
【００４２】
図８において、ＤＣオフセット除去部１０６は、ＤＣオフセット補正値・補正位置算出部６０１、及び適応的ＤＣオフセット補正部６０２を備えて構成される。
【００４３】
ＤＣオフセット補正値・補正位置算出部６０１は、ディジタルベースバンド信号に変換された受信信号と最長重複部分系列内動的ＤＣオフセット検出部１０４から出力されるトレーニングシーケンス内ＤＣオフセット変動量とＤＣオフセット変動位置、また前記最長重複部分系列外動的ＤＣオフセット検出部１０５から出力されるトレーニングシーケンス外ＤＣオフセット変動量を入力とする。ＤＣオフセット補正値・補正位置算出部６０１は、トレーニングシーケンス内ＤＣオフセット変動量が検出された場合、トレーニングシーケンス内ＤＣオフセット変動量とトレーニングシーケンス内ＤＣオフセット変動位置をそれぞれ変化位置後ＤＣオフセット量と変化位置として出力し、トレーニングシーケンス内ＤＣオフセット変動量が検出されなかった場合、トレーニングシーケンス外ＤＣオフセット変動量の半分の符号反転した値を変化位置前ＤＣオフセット量、トレーニングシーケンス外ＤＣオフセット変動量の半分を変化位置後ＤＣオフセット量として出力する。
【００４４】
適応的ＤＣオフセット補正部６０２は、変化位置が設定されている場合、その位置で変化位置前ＤＣオフセット量から変化位置後ＤＣオフセット量に切り替えて受信信号からＤＣオフセット量を差し引き、変化位置が設定されていない場合、第１最長重複部分系列抽出部３０１以前のサンプル値から変化位置前ＤＣオフセット量を差し引き、第２最長重複部分系列抽出部３０２以降のサンプル値から変化位置後ＤＣオフセット量を差し引く。
【００４５】
ここで、図６に示される最長重複部分系列内動的ＤＣオフセット検出部４００の場合、処理の簡素化のために、ＤＣオフセット変動位置の出力は行わず第１最長重複部分系列抽出部４０１と第２最長重複部分系列抽出部４０２の中間位置を変化位置とすることで、大きく受信性能を落とさず処理量の削減が可能となる。
【００４６】
以下、上述のように構成された動的ＤＣオフセット除去装置を有する受信機１００の動的ＤＣオフセット除去動作を説明する。
【００４７】
〔ＤＣオフセット補償処理部１０１の動作〕
本発明は、ディジタルベースバンド信号に変換された受信信号を入力とし、その受信信号のサンプリング周期をＴｓ[s]、バースト期間をＴｂ[s]、トレーニングシーケンス(前もって基地局より通知される受信同期用信号系列)期間をＴｔ[s]、毎バースト期間内の時刻Ｔｓｔ[s]からトレーニングシーケンスが埋め込まれるものとする。また、トレーニングシーケンスは、トレーニングシーケンス内のある部分系列に着目した場合、部分系列と同一系列がその部分系列部以外に存在し、変調後信号も一致することを特徴とする系列であり、この部分系列のうち最長のものを最長重複部分系列とし、時間的に早く登場する方を第１最長重複部分系列部２０２（図３参照）、時間的に遅く登場する方を第２最長重複部分系列部２０３（図３参照）とする。受信信号はＩ相・Ｑ相成分に直交変調されている。以降、Ｉ相・Ｑ相成分とも同様の処理を独立に行うためＩ相成分に対する処理のみ記載する。
【００４８】
まず、図１及び図２に示すように、ＤＣオフセット補償処理部１０１には、ディジタルベースバンド信号に変換された受信信号が入力される。
【００４９】
最長重複部分系列内動的ＤＣオフセット検出部１０４では、受信信号から前もって位置を設定された第１最長重複部分系列部２０２（図３参照）と第２最長重複部分系列部２０３（図３参照）を抽出し、それぞれのサンプリング値の差から最長重複部分系列内の動的ＤＣオフセットを検出する。
【００５０】
また、最長重複部分系列外動的ＤＣオフセット検出部１０５では、受信信号から第１最長重複部分系列部２０２（図３参照）より前に存在するバースト内受信信号もしくはその一部のサンプリング値の平均値と第２最長重複部分系列部２０３（図３参照）より後に存在するバースト内受信信号もしくはその一部のサンプリング値の平均値の差から最長重複部分系列外の動的ＤＣオフセットを検出する。
【００５１】
そして、ＤＣオフセット除去部１０６では、最長重複部分系列内動的ＤＣオフセット検出部１０４から出力される検出結果と最長重複部分系列外動的ＤＣオフセット検出部１０５から出力される検出結果を基に、受信信号から適応的にＤＣオフセット値を差し引くＤＣオフセット除去を行う。
【００５２】
これにより、受信特性に大きく影響するトレーニングシーケンス内ＤＣオフセット変動を既知信号系列の特性を用いて高精度に検出し、かつ、トレーニングシーケンス外ＤＣオフセット変動に関しても検出でき除去できる。
【００５３】
〔最長重複部分系列内動的ＤＣオフセット検出部１０４の動作〕
（１）高分解能版の最長重複部分系列内動的ＤＣオフセット検出部３００の動作について説明する。
【００５４】
図５に示すように、第１最長重複部分系列抽出部３０１では、受信信号から第１最長重複部分系列部２０２（図３参照）を抽出して出力し、第２最長重複部分系列抽出部３０２では、受信信号から第２最長重複部分系列部２０３（図３参照）を抽出して出力する。
【００５５】
振幅差検出部３０３では、第１最長重複部分系列抽出部３０１から出力された第１最長重複部受信信号と第２最長重複部分系列抽出部３０２から出力された第２最長重複部受信信号のサンプリング値の差を計算し、その差が前もって設定されたある閾値を超える位置をＤＣオフセット変動位置とする。そして、ＤＣオフセット変動位置以前のサンプリング値の差の平均値とＤＣオフセット変動位置以降のサンプリング値の差の平均値を計算し、それら平均値の差をＤＣオフセット変動量として、ＤＣオフセット変動位置とＤＣオフセット変動量を出力する。
【００５６】
最長重複部分系列内動的ＤＣオフセット検出部３００を用いた最長重複部分系列内動的ＤＣオフセット検出方法によれば、比較的処理量が少なくＤＣオフセット変動値と変化位置を導出できる。
【００５７】
（２）低分解能版の最長重複部分系列内動的ＤＣオフセット検出部４００の動作について説明する。
【００５８】
図６に示すように、第１最長重複部分系列抽出部４０１では、受信信号から第１最長重複部分系列部２０２（図３参照）を抽出して出力し、第２最長重複部分系列抽出部４０２では、受信信号から第２最長重複部分系列部２０３（図３参照）を抽出して出力する。
【００５９】
振幅差平均値計算部４０３では、第１最長重複部分系列抽出部４０１から出力された第１最長重複部受信信号と第２最長重複部分系列抽出部４０２から出力された第２最長重複部受信信号のサンプリング値の差の積分値を計算し、その差が前もって設定されたある閾値を超える場合、その差の積分値をＤＣオフセット変動量として出力する。
【００６０】
最長重複部分系列内動的ＤＣオフセット検出部４００を用いた最長重複部分系列内動的ＤＣオフセット検出方法によれば、変化位置情報を出力しない分、高分解能版の最長重複部分系列内動的ＤＣオフセット検出部３００より更に少ない処理量でＤＣオフセット変動値を求めることができ、ＤＣオフセット除去部１０６（図２参照）より後段の処理（例えば等化処理や復号処理）にて訂正能力の高い処理を用いている場合は、有利となる。
【００６１】
〔最長重複部分系列外動的ＤＣオフセット検出部１０５の動作〕
図７に示すように、第１最長重複部分（前）系列抽出部５０１では、受信信号から前もって位置を設定された第１最長重複部分系列部より前に存在するバースト内受信信号もしくはその一部のサンプリング値を抽出して出力し、第２最長重複部分（後）系列抽出部５０２では、受信信号から前もって位置を設定された第２最長重複部分系列部より後に存在するバースト内受信信号もしくはその一部のサンプリング値を抽出して出力する。
【００６２】
振幅差平均値計算部５０３では、第１最長重複部分（前）系列抽出部５０１から出力された第１最長重複部受信信号以前のサンプリング値と第２最長重複部分系列抽出部５０２から出力された第２最長重複部受信信号以降のサンプリング値の積分値を計算し、その差が前もって設定されたある閾値を超える場合、その差をＤＣオフセット変動量として出力する。
【００６３】
最長重複部分系列外動的ＤＣオフセット検出部１０５を用いた最長重複部分系列外動的ＤＣオフセット検出方法によれば、比較的処理量が少なくＤＣオフセット変動値と変化位置を導出できる。
【００６４】
〔ＤＣオフセット除去部１０６の動作〕
（１）ＤＣオフセット除去部１０６に、図５の最長重複部分系列内動的ＤＣオフセット検出部３００から出力された第１ＤＣオフセット変動量と第１ＤＣオフセット変動位置と、最長重複部分系列外動的ＤＣオフセット検出部１０５から出力された第２ＤＣオフセット変動量が入力される場合の動作について説明する。
【００６５】
図８に示すように、ＤＣオフセット補正値・補正位置算出部６０１では、図５の最長重複部分系列内動的ＤＣオフセット検出部３００から出力された第１ＤＣオフセット変動量と第１ＤＣオフセット変動位置と、図７の最長重複部分系列外動的ＤＣオフセット検出部１０５から出力された第２ＤＣオフセット変動量から、第１ＤＣオフセット変動量が検出された場合、第１ＤＣオフセット変動量と第１ＤＣオフセット変動位置をそれぞれ変化位置後ＤＣオフセット量と変化位置として出力し、第１ＤＣオフセット変動量が検出されなかった場合、第２ＤＣオフセット変動量の半分の符号反転した値を変化位置前ＤＣオフセット量、第２ＤＣオフセット変動量の半分を変化位置後ＤＣオフセット量として出力する。
【００６６】
適応的ＤＣオフセット補正部６０２では、変化位置が設定されている場合、その位置で変化位置前ＤＣオフセット量から変化位置後ＤＣオフセット量に切り替えて受信信号からＤＣオフセット量を差し引き、変化位置が設定されていない場合、第１最長重複部分系列部以前のサンプル値から変化位置前ＤＣオフセット量を差し引き、第２最長重複部分系列部以降のサンプル値から変化位置後ＤＣオフセット量を差し引く。
【００６７】
最長重複部分系列内動的ＤＣオフセット検出部３００の出力を受けるＤＣオフセット除去部１０６を用いたＤＣオフセット除去方法によれば、低処理量で実現できる。
【００６８】
（２）上記最長重複部分系列内動的ＤＣオフセット検出部３００に代えて、図６の最長重複部分系列内動的ＤＣオフセット検出部４００を用いた場合のＤＣオフセット除去部１０６の動作について説明する。
【００６９】
図示は省略するが、ＤＣオフセット補正値・補正位置算出部６０１では、図６の最長重複部分系列内動的ＤＣオフセット検出部４００から出力された第１ＤＣオフセット変動量と、図７の最長重複部分系列外動的ＤＣオフセット検出部１０５から出力された第２ＤＣオフセット変動量から、第１ＤＣオフセット変動量が検出された場合、第１ＤＣオフセット変動量を変化位置後ＤＣオフセット量とし、第１最長重複部分系列部２０２（図３参照）と第２最長重複部分系列部２０３（図３参照）の中間位置を変化位置として出力し、第１ＤＣオフセット変動量が検出されなかった場合、第２ＤＣオフセット変動量の半分の符号反転した値を変化位置前ＤＣオフセット量、第２ＤＣオフセット変動量の半分を変化位置後ＤＣオフセット量として出力する。
【００７０】
適応的ＤＣオフセット補正部６０２では、変化位置が設定されている場合、その位置で変化位置前ＤＣオフセット量から変化位置後ＤＣオフセット量に切り替えて受信信号からＤＣオフセット量を差し引き、変化位置が設定されていない場合、第１最長重複部分系列部以前のサンプル値から変化位置前ＤＣオフセット量を差し引き、第２最長重複部分系列部以降のサンプル値から変化位置後ＤＣオフセット量を差し引く。
【００７１】
最長重複部分系列内動的ＤＣオフセット検出部４００の出力を受けるＤＣオフセット除去部１０６を用いたＤＣオフセット除去方法によれば、ノイズやフェージングの影響による誤検出を排除し、かつ、低処理量で実現できる。
【００７２】
（３）上記ＤＣオフセット補正値・補正位置算出部６０１では、第２ＤＣオフセット変動量の半分の符号反転した値を変化位置前ＤＣオフセット量、第２ＤＣオフセット変動量の半分を変化位置後ＤＣオフセット量として出力しているが、これを第２ＤＣオフセット変動量の定数Ｋ倍に拡張することも可能である。
【００７３】
図５の最長重複部分系列内動的ＤＣオフセット検出部３００の出力を受けるＤＣオフセット補正値・補正位置算出部６０１が、第２ＤＣオフセット変動量の定数Ｋ倍して得られた値を変化位置後ＤＣオフセット量として出力する例について説明する。
【００７４】
図示は省略するが、ＤＣオフセット補正値・補正位置算出部６０１では、図５の最長重複部分系列内動的ＤＣオフセット検出部３００から出力された第１ＤＣオフセット変動量と第１ＤＣオフセット変動位置と、図７の最長重複部分系列外動的ＤＣオフセット検出部１０５から出力された第２ＤＣオフセット変動量から、第１ＤＣオフセット変動量が検出された場合、第１ＤＣオフセット変動量と第１ＤＣオフセット変動位置をそれぞれ変化位置後ＤＣオフセット量と変化位置として出力し、第１ＤＣオフセット変動量が検出されなかった場合、第２ＤＣオフセット変動量の定数Ｋ倍して得られた値の符号反転した値を変化位置前ＤＣオフセット量、第２ＤＣオフセット変動量の定数Ｋ倍して得られた値を変化位置後ＤＣオフセット量として出力する。
【００７５】
適応的ＤＣオフセット補正部６０２では、変化位置が設定されている場合、その位置で変化位置前ＤＣオフセット量から変化位置後ＤＣオフセット量に切り替えて受信信号からＤＣオフセット量を差し引き、変化位置が設定されていない場合、第１最長重複部分系列部以前のサンプル値から変化位置前ＤＣオフセット量を差し引き、第２最長重複部分系列部以降のサンプル値から変化位置後ＤＣオフセット量を差し引く。
【００７６】
最長重複部分系列内動的ＤＣオフセット検出部３００の出力を受ける拡張型のＤＣオフセット除去部１０６を用いたＤＣオフセット除去方法によれば、低処理量で実現できる。また、推定されたＤＣオフセット量に定数Ｋを乗じた値をＤＣオフセット補正値とすることで、ＤＣオフセット補正値を任意に調整することが可能となり、適用する受信システムの残留ＤＣオフセットに対する耐性に応じた補正値を選択できるようになる。
【００７７】
（４）上記最長重複部分系列内動的ＤＣオフセット検出部３００に代えて、図６の最長重複部分系列内動的ＤＣオフセット検出部４００を用いた場合の拡張型のＤＣオフセット除去部１０６の動作について説明する。
【００７８】
図示は省略するが、ＤＣオフセット補正値・補正位置算出部６０１では、図６の最長重複部分系列内動的ＤＣオフセット検出部４００から出力された第１ＤＣオフセット変動量と、図７の最長重複部分系列外動的ＤＣオフセット検出部１０５から出力された第２ＤＣオフセット変動量から、第１ＤＣオフセット変動量が検出された場合、第１ＤＣオフセット変動量を変化位置後ＤＣオフセット量とし、第１最長重複部分系列部２０２（図３参照）と第２最長重複部分系列部２０３（図３参照）の中間位置を変化位置として出力し、第１ＤＣオフセット変動量が検出されなかった場合、第２ＤＣオフセット変動量の定数Ｋ倍して得られた値の符号反転した値を変化位置前ＤＣオフセット量、第２ＤＣオフセット変動量の定数Ｋ倍して得られた値を変化位置後ＤＣオフセット量として出力する。
【００７９】
適応的ＤＣオフセット補正部６０２では、変化位置が設定されている場合、その位置で変化位置前ＤＣオフセット量から変化位置後ＤＣオフセット量に切り替えて受信信号からＤＣオフセット量を差し引き、変化位置が設定されていない場合、第１最長重複部分系列部以前のサンプル値から変化位置前ＤＣオフセット量を差し引き、第２最長重複部分系列部以降のサンプル値から変化位置後ＤＣオフセット量を差し引く。
【００８０】
最長重複部分系列内動的ＤＣオフセット検出部４００の出力を受ける拡張型のＤＣオフセット除去部１０６を用いたＤＣオフセット除去方法によれば、ノイズやフェージングの影響による誤検出を排除し、かつ、低処理量で実現できる。また、推定されたＤＣオフセット量に定数Ｋを乗じた値をＤＣオフセット補正値とすることで、ＤＣオフセット補正値を任意に調整することが可能となり、適用する受信システムの残留ＤＣオフセットに対する耐性に応じた補正値を選択できるようになる。
【００８１】
以上詳細に説明したように、本実施の形態によれば、受信信号のトレーニングシーケンス内の重複部分系列に着目し、ディジタルベースバンド信号に変換された受信信号のトレーニングシーケンス内の重複部分系列である第１最長重複部分系列部と第２最長重複部分系列部のサンプリング値の差から最長重複部分系列内の動的ＤＣオフセットを検出する最長重複部分系列内動的ＤＣオフセット検出部１０４と、第１最長重複部分系列部より前に存在するバースト内受信信号のサンプリング値の平均値と第２最長重複部分系列部より後に存在するバースト内受信信号のサンプリング値の平均値の差から最長重複部分系列外の動的ＤＣオフセットを検出する最長重複部分系列外動的ＤＣオフセット検出部１０５と、それら結果を基に受信信号から適応的にＤＣオフセット値を差し引くＤＣオフセット除去部１０６を備えているので、受信特性に大きく影響するトレーニングシーケンス内ＤＣオフセット変動を既知信号系列の特性を用いて高精度に検出し、かつ、トレーニングシーケンス外ＤＣオフセット変動に関しても検出でき除去できる。
【００８２】
例えば、無線ＲＦ部の回路規模削減を目的に採用がされつつあるダイレクトコンバージョン方式では、ヘテロダイン方式と比較し残留ＤＣオフセット成分が増大、かつ特にＧＳＭ方式では処理フレーム中間での急激な動的ＤＣオフセット増大も想定され、受信特性劣化要因になっており、従来の平均値推定では除去が困難であった。本実施の形態の動的ＤＣオフセット除去装置では、特にビット誤り率特性を劣化させるトレーニングシーケンス内の動的ＤＣオフセットに対して高精度に動的ＤＣオフセットを検出・補正することができ、また従来の平均値処理に加えて数サンプルの比較のみという少ない処理量増のみで動的ＤＣオフセットの補償をすることができ、それにより誤り率特性を向上させる受信機を安価に提供できる。
【００８３】
（実施の形態２）
図９は、本発明の実施の形態２に係る動的ＤＣオフセット除去装置を有する受信機の構成を示すブロック図であり、適応的閾値変動を用いた動的ＤＣオフセット検出・除去に適用した例である。図１と同一構成部分には、同一番号を付している。
【００８４】
図９において、動的ＤＣオフセット除去装置を有する受信機７００は、ディジタルベースバンド信号に変換された受信信号Ｉ，Ｑを入力とし、受信信号Ｉ，ＱからＤＣオフセットを除去するＤＣオフセット補償処理部１０１と、ＤＣオフセット補償処理を施されたＤＣオフセット補償済み受信信号を等化する等化処理部１０２と、等化処理部１０２で等化された受信信号を復号する復号処理部１０３と、受信信号を入力として、その受信品質（例えば、ＳＮＲ（Signal to Noise Ratio）や受信パワーレベル、トレーニングシーケンスを用いたＢＥＲ（Bit Error Rate）推定）を測定する受信品質測定部７０４と、受信品質を入力として、受信品質に対して適応的にＤＣオフセット補償処理部１０１で用いられる閾値を変更する閾値計算部７０５とを備えて構成される。
【００８５】
このように、本実施の形態の動的ＤＣオフセット除去システムは、ディジタルベースバンド信号に変換された受信信号を入力とし、受信信号の受信品質を測定する受信品質測定部７０４と、受信品質を入力としてＤＣオフセット補償処理の閾値を決定する閾値計算部７０５と、閾値を基に動的ＤＣオフセット補償処理を実行するＤＣオフセット補償処理部１０１とを備えて構成したので、受信品質が高い時は閾値を大きくし、大きいＤＣオフセット変動のみを除去できるように設定し誤検出を減らし受信特性劣化を防ぐ。
【００８６】
（実施の形態３）
図１０は、本発明の実施の形態３に係る動的ＤＣオフセット除去装置を有する受信機の構成を示すブロック図であり、タイミングオフセット情報を用いた動的ＤＣオフセット検出・除去に適用した例である。図１と同一構成部分には、同一番号を付している。
【００８７】
図１０において、動的ＤＣオフセット除去装置を有する受信機８００は、ディジタルベースバンド信号に変換された受信信号Ｉ，Ｑを入力とし、受信信号Ｉ，ＱからＤＣオフセットを除去するＤＣオフセット補償処理部１０１と、ＤＣオフセット補償処理を施されたＤＣオフセット補償済み受信信号を等化する等化処理部１０２と、等化処理部１０２で等化された受信信号を復号する復号処理部１０３と、受信信号を入力として、そのタイミングオフセットを検出するタイミングオフセット検出部８０４とを備えて構成される。
【００８８】
上記タイミングオフセットを検出は、例えば、トレーニングシーケンスの相関結果を用いる。タイミングオフセットが付いている場合、第１最長重複部分系列部位置と第２最長重複部分系列部位置がずれてしまうことによる誤検出することを防ぐことができる。
【００８９】
このように、本実施の形態の動的ＤＣオフセット除去システムは、ディジタルベースバンド信号に変換された受信信号を入力とし、受信信号のタイミングオフセット量を計算するタイミングオフセット検出部８０４と、タイミングオフセット量を入力として動的ＤＣオフセット補償処理の第１最長重複部分系列部と第２最長重複部分系列部の位置を補正して動的ＤＣオフセット補償処理を実行するＤＣオフセット補償処理部１０１とを備えて構成したので、タイミングオフセットが付いている場合、第１最長重複部分系列部位置と第２最長重複部分系列部位置がずれてしまい誤検出することを防ぐことができる。
【００９０】
以上の説明は本発明の好適な実施の形態の例証であり、本発明の範囲はこれに限定されることはない。
【００９１】
また、上記各実施の形態では動的ＤＣオフセット除去装置及び動的ＤＣオフセット除去方法という名称を用いたが、これは説明の便宜上であり、ＤＣオフセット補正回路及びＤＣオフセット補正方法等であってもよいことは勿論である。
【００９２】
さらに、上記動的ＤＣオフセット除去装置を構成する各回路部、例えば第１最長重複部分系列抽出部及び第２最長重複部分系列抽出部の種類、その数及び接続方法など、さらには振幅差検出部、振幅差平均値計算部、受信品質測定部の構成例などは前述した実施の形態に限られない。
【産業上の利用可能性】
【００９３】
本発明に係る動的ＤＣオフセット除去装置及び動的ＤＣオフセット除去方法は、移動体通信用携帯電話の受信処理の一部として用いられ得る。特に欧州中心のＧＳＭ方式とその第３世代版であるＥＤＧＥ（Enhanced Data GSM Environment）方式では、低コストな携帯電話実現もしくは連続待受時間や連続通話時間の延長に貢献できる。また、ダイレクトコンバージョン方式の無線部を搭載するディジタル移動体通信の受信機に用いて有用である。
【図面の簡単な説明】
【００９４】
【図１】本発明の実施の形態１に係る動的ＤＣオフセット除去装置を有する受信機の構成を示すブロック図
【図２】上記実施の形態１に係る動的ＤＣオフセット除去装置のＣＤオフセット補償処理部の構成を示す図
【図３】上記実施の形態１に係る動的ＤＣオフセット除去装置のバーストの構成例を示す図
【図４】上記実施の形態１に係る動的ＤＣオフセット除去装置の動的ＤＣオフセット検出時の波形例を示す図
【図５】上記実施の形態１に係る動的ＤＣオフセット除去装置の最長重複部分系列内動的ＤＣオフセット検出部の高分解能版の構成を示すブロック図
【図６】上記実施の形態１に係る動的ＤＣオフセット除去装置の最長重複部分系列内動的ＤＣオフセット検出部の低分解能版の構成を示すブロック図
【図７】上記実施の形態１に係る動的ＤＣオフセット除去装置の最長重複部分系列外動的ＤＣオフセット検出部の構成を示すブロック図
【図８】上記実施の形態１に係る動的ＤＣオフセット除去装置のＤＣオフセット除去部の構成を示すブロック図
【図９】本発明の実施の形態２に係る動的ＤＣオフセット除去装置を有する受信機の構成を示すブロック図
【図１０】本発明の実施の形態３に係る動的ＤＣオフセット除去装置を有する受信機の構成を示すブロック図
【図１１】従来のＤＣオフセット除去装置を有する受信機の構成を示すブロック図
【図１２】従来のＤＣオフセット除去装置のＣＤオフセット補償処理部の構成を示す図
【符号の説明】
【００９５】
１００，７００，８００  動的ＤＣオフセット除去装置を有する受信機
１０１  ＤＣオフセット補償処理部
１０２  等化処理部
１０３  復号処理部
１０４，３００，４００  最長重複部分系列内動的ＤＣオフセット検出部
１０５  最長重複部分系列外動的ＤＣオフセット検出部
１０６  ＤＣオフセット除去部
２０１  トレーニングシーケンス
２０２  第１最長重複部分系列部
２０３  第２最長重複部分系列部
３０１  第１最長重複部分系列抽出部
３０２  第２最長重複部分系列抽出部
３０３  振幅差検出部
４０１  第１最長重複部分系列抽出部
４０２  第２最長重複部分系列抽出部
４０３  振幅差平均値計算部
５０１  第１最長重複部分（前）系列抽出部
５０２  第２最長重複部分（後）系列抽出部
５０３  振幅差平均値計算部
６０１  ＤＣオフセット補正値・補正位置算出部
６０２  適応的ＤＣオフセット補正部
７０４  受信品質測定部
７０５  閾値計算部
８０４  タイミングオフセット検出部
【図１】
2008300958.tif 000003
【図２】
2008300958.tif 000004
【図３】
2008300958.tif 000005
【図４】
2008300958.tif 000006
【図５】
2008300958.tif 000007
【図６】
2008300958.tif 000008
【図７】
2008300958.tif 000009
【図８】
2008300958.tif 000010
【図９】
2008300958.tif 000011
【図１０】
2008300958.tif 000012
【図１１】
2008300958.tif 000013
【図１２】
2008300958.tif 000014